(57)【要約】      （修正有）【課題】医療用廃棄物を袋に容易に横入れ出来る。医療用廃棄物収納袋を提供する。【解決手段】裏面シートは、表面シート１０に重ね合され、周端を溶着することで、袋１を形成する。第一の折り目線１２は、袋１の中央付近で、袋１の左右方向に沿って線状に設けられる。第二の折り目線１３は、第一の折り目線１２と袋１の上側の端部１ａとの中間で、袋１の左右方向に沿って線状に設けられる。挿入穴１４は、表面シート１０の左右のいずれか一方の付近で、表面シート１０の第二の折り目線１３に対して直角に長尺の楕円状に設けられる。第一の立体形成線１５は、挿入穴１４の上下端部１４ａ、１４ｂのそれぞれから、第二の折り目線１３上で、且つ、第二の折り目線１３の左右方向の中心付近１３ａまで線状に設けられ、くの字状を形成する。第二の立体形成線１６は、挿入穴１４の上下端部１４ａ、１４ｂのそれぞれから、第二の折り目線１３上まで、第一の立体形成線１５の傾斜よりも急な傾斜で線状に設けられ、くの字状を形成する。【選択図】図１
0003212746.tif 000002
【実用新案登録請求の範囲】
【請求項１】
四角形状である表面シートと、
前記表面シートに対応する四角形状であり、前記表面シートに重ね合され、周端を溶着することで、袋を形成する裏面シートと、
前記袋の中央付近で、前記袋の左右方向に沿って線状に設けられる第一の折り目線と、
前記第一の折り目線と前記袋の上側の端部との中間で、前記袋の左右方向に沿って線状に設けられる第二の折り目線と、
前記表面シートの左右のいずれか一方の付近で、前記表面シートの第二の折り目線に対して直角に長尺の楕円状に設けられ、中心が前記第二の折り目線上にある挿入穴と、
前記挿入穴の上下端部のそれぞれから、前記第二の折り目線上で、且つ、前記第二の折り目線の左右方向の中心付近まで線状に設けられ、くの字状を形成する第一の立体形成線と、
前記挿入穴の上下端部のそれぞれから、前記第二の折り目線上まで、前記第一の立体形成線の傾斜よりも急な傾斜で線状に設けられ、くの字状を形成する第二の立体形成線と、
を備える医療用廃棄物収納袋。
【考案の詳細な説明】
【技術分野】
【０００１】
本考案は、オートインジェクタ、ペン型注射器といった医療用廃棄物を収容する医療用廃棄物収納袋に関する。
【背景技術】
【０００２】
糖尿病患者のインスリン製剤、リュウマチ治療薬は、通常、オートインジェクタ、ペン型注射器と呼ばれる使い捨て注射器の医療用廃棄物によって患者に供給されるが、この医療用廃棄物は、使用後に安全に収納され、医療機関に回収される必要がある。
【０００３】
医療用廃棄物を袋内に収納し易く、収納後の医療用廃棄物が袋から出ない構造を有する技術が存在する。例えば、実用新案登録第３２０５１５６号公報（特許文献１）には、柔軟な合成樹脂製シートである裏面シートと表面シートを重ね合わせて周縁を溶着する医療用廃棄物収納袋が開示されている。この医療用廃棄物収納袋は、平面である裏面シートに対し、表面シートは途中で裏面シート側に基方へ折り返し、該基方への折り返しに続けて先方へ折り返すことによってマチを形成し、該マチの先方への折り返し部分に医療用廃棄物を通過させることができる大きさの貫通孔を設けたことを特徴とする。これにより、柔軟な合成樹脂製袋のマチの解放部から狭小部であるマチの折り返し部分に形成される貫通孔から袋内に医療用廃棄物を投入するため、投入時はマチの傾斜に沿って円滑に投入することができ、折り返し部分の自然な折曲動作によって、折り返し部分に形成された貫通孔が常時狭められることになり、一旦投入された医療用廃棄物は、袋内に閉じ込められ容易に飛び出すことがないとしている。
【先行技術文献】
【特許文献】
【０００４】
【特許文献１】実用新案登録第３２０５１５６号公報
【考案の概要】
【考案が解決しようとする課題】
【０００５】
しかしながら、上述した特許文献１に記載の技術では、マチを形成させるための十分な表面シートを必要とし、コスト高になるという課題がある。又、マチの解放部から狭小部のマチの折り返し部分の貫通孔に医療用廃棄物を挿入する際に、医療用廃棄物収納袋に医療用廃棄物を貫通孔へ案内する手段が無いため、貫通孔以外の折り返し部分に医療用廃棄物が当接して引っ掛かり、手指が不自由な患者が医療用廃棄物を貫通孔に通し難いという課題がある。
【０００６】
一方、医療用廃棄物収納袋は、殆どの場合、医療用廃棄物を縦入れにする方式である。縦入れ方式とは、長尺の医療用廃棄物収納袋の端部に挿入穴が設けられ、長尺の医療用廃棄物を挿入穴に入れると、医療用廃棄物収納袋に沿って医療用廃棄物が収納され、医療用廃棄物が医療用廃棄物収納袋の挿入穴に対面する構成を意味する。縦入れの場合、医療用廃棄物収納袋内で医療用廃棄物が挿入穴と対面するため、何らかの外力が医療用廃棄物収納袋に加わると、医療用廃棄物が挿入穴へ衝突し、何かの拍子で外部に飛び出る可能性がある。そのため、医療用廃棄物がより外部に飛び出ないようにするためには、医療用廃棄物を横入れにする方式が望まれる。横入れ方式とは、四角形状の医療用廃棄物収納袋の上方端部に挿入穴が設けられ、長尺の医療用廃棄物を挿入穴に入れると、医療用廃棄物収納袋の下方に医療用廃棄物が収納され、医療用廃棄物が医療用廃棄物収納袋の挿入穴に対面しない構成を意味する。
【０００７】
そこで、本考案は、前記課題を解決するためになされたものであり、手指が不自由な患者であっても医療用廃棄物を袋に容易に横入れすることが出来るとともに、入れた医療用廃棄物の外部への飛び出しを確実に防止することが可能な医療用廃棄物収納袋を提供することを目的とする。
【課題を解決するための手段】
【０００８】
本考案者は、鋭意研究を重ねた結果、本考案に係る新規な医療用廃棄物収納袋を完成させた。即ち、本考案に係る医療用廃棄物収納袋は、表面シートと、裏面シートと、第一の折り目線と、第二の折り目線と、挿入穴と、第一の立体形成線と、第二の立体形成線と、を備える。表面シートは、四角形状である。裏面シートは、前記表面シートに対応する四角形状であり、前記表面シートに重ね合され、周端を溶着することで、袋を形成する。第一の折り目線は、前記袋の中央付近で、前記袋の左右方向に沿って線状に設けられる。第二の折り目線は、前記第一の折り目線と前記袋の上側の端部との中間で、前記袋の左右方向に沿って線状に設けられる。挿入穴は、前記表面シートの左右のいずれか一方の付近で、前記表面シートの第二の折り目線に対して直角に長尺の楕円状に設けられ、中心が前記第二の折り目線上にある。第一の立体形成線は、前記挿入穴の上下端部のそれぞれから、前記第二の折り目線上で、且つ、前記第二の折り目線の左右方向の中心付近まで線状に設けられ、くの字状を形成する。第二の立体形成線は、前記挿入穴の上下端部のそれぞれから、前記第二の折り目線上まで、前記第一の立体形成線の傾斜よりも急な傾斜で線状に設けられ、くの字状を形成する。
【考案の効果】
【０００９】
本考案によれば、手指が不自由な患者であっても医療用廃棄物を袋に容易に横入れすることが出来るとともに、入れた医療用廃棄物の外部への飛び出しを確実に防止することが可能となる。
【図面の簡単な説明】
【００１０】
【図１】本考案の実施形態に係る医療用廃棄物収納袋の正面図である。
【図２】本考案の実施形態に係る医療用廃棄物収納袋の背面図である。
【図３】本考案の実施形態に係る医療用廃棄物収納袋の右側面図と、左側面図と、平面図と、底面図と、である。
【図４】本考案の実施形態に係る医療用廃棄物収納袋の持ち手部が無い場合の背面図である。
【図５】本考案の実施形態に係る医療用廃棄物収納袋の持ち手部と引き手部とが無い場合の背面図である。
【図６】本考案の実施形態に係る医療用廃棄物収納袋の使用状態を示す第一の斜視図である。
【図７】本考案の実施形態に係る医療用廃棄物収納袋の使用状態を示す第二の斜視図である。
【図８】本考案の実施形態に係る医療用廃棄物収納袋の使用状態を示す第三の斜視図である。
【図９】本考案の実施形態に係る医療用廃棄物収納袋の使用状態を示す第四の斜視図である。
【図１０】本考案の実施形態に係る医療用廃棄物収納袋の使用状態を示す第五の斜視図である。
【図１１】本考案の実施形態に係る医療用廃棄物収納袋の使用状態を示す第六の斜視図である。
【図１２】本考案の実施形態に係る医療用廃棄物収納袋の使用状態を示す第七の斜視図である。
【考案を実施するための形態】
【００１１】
以下に、添付図面を参照して、本考案の実施形態について説明し、本考案の理解に供する。尚、以下の実施形態は、本考案を具体化した一例であって、本考案の技術的範囲を限定する性格のものではない。
【００１２】
本考案の実施形態に係る医療用廃棄物収納袋１は、図１〜図５に示すように、表面シート１０と、裏面シート１１と、第一の折り目線１２と、第二の折り目線１３と、挿入穴１４と、第一の立体形成線１５と、第二の立体形成線１６と、を備える。
【００１３】
表面シート１０は、四角形状である。裏面シート１１は、前記表面シート１０に対応する四角形状であり、前記表面シート１０に重ね合され、周端を溶着することで、袋１を形成する。第一の折り目線１２は、前記袋１の中央付近で、前記袋１の左右方向に沿って線状に設けられる。第二の折り目線１３は、前記第一の折り目線１２と前記袋１の上側の端部１ａとの中間で、前記袋１の左右方向に沿って線状に設けられる。挿入穴１４は、前記表面シート１０の左右のいずれか一方（本実施形態では、右側）の付近で、前記表面シート１０の第二の折り目線１３に対して直角に長尺の楕円状に設けられ、中心が前記第二の折り目線１３上にある。第一の立体形成線１５は、前記挿入穴１４の上下端部１４ａ、１４ｂのそれぞれから、前記第二の折り目線１３上で、且つ、前記第二の折り目線１３の左右方向の中心付近１３ａまで線状に設けられ、くの字状を形成する。第二の立体形成線１６は、前記挿入穴１４の上下端部１４ａ、１４ｂのそれぞれから、前記第二の折り目線１３上まで、前記第一の立体形成線１５の傾斜よりも急な傾斜で線状に設けられ、くの字状を形成する。
【００１４】
これにより、手指が不自由な患者であっても医療用廃棄物を袋に容易に横入れすることが出来るとともに、入れた医療用廃棄物の外部への飛び出しを確実に防止することが可能となる。
【００１５】
即ち、本考案の実施形態では、医療用廃棄物の縦入れ方式で無く、横入れ方式にしており、袋１を広げると、第一の立体形成線１５で区分される二つの三角形状が立体的に立ち上がり、挿入穴１４が大きく開かれる。更に、第二の立体形成線１６で区分される二つの三角形状が内部へ立体的に入り、挿入穴１４の開きを固定して、医療用廃棄物を挿入し易くする。これにより、手指が不自由な患者であっても、医療用廃棄物を挿入穴１４に当てれば、第二の立体形成線１６による二つの三角形状が当該医療用廃棄物を袋１の内部へ案内し、袋１に容易に収納することが出来る。又、医療用廃棄物が袋１の内部に入ると、下方に落ちて、医療用廃棄物が挿入穴１４に対面することは無い。これにより、一度入った医療用廃棄物を外部に出難くすることが出来る。
【００１６】
尚、本考案の実施形態では、第一の折り目線１２と、第二の折り目線１３とは、表面シート１０と裏面シート１１の両方にそれぞれ設けられているが、表面シート１０のみでも良い。又、本考案の実施形態では、表面シート１０と裏面シート１１の材質を、例えば、合成樹脂製としている。
【００１７】
ここで、本考案の実施形態では、第一のファスナー１７と、第二のファスナー１８と、を備える。第一のファスナー１７は、表面シート１０の中央付近で、且つ、第一の折り目線１２よりも下方付近に設けられ、第二のファスナー１８は、裏面シート１１の上方中央付近で、且つ、裏面シート１１の上側の端部１１ａ付近に設けられる。
【００１８】
これにより、第二の折り目線１３を折り目にして袋１の上側の端部１ａを内側に折り曲げると、裏面シート１１の第二のファスナー１８が表面シート１０の第一のファスナー１７に対向し、付着（吸着）させることが出来る。更に、第一の折り目線１２を折り目にして第二の折り目線１３を内側に折り曲げ、第二のファスナー１８を第一のファスナー１７に付着させると、袋１の上方では二回の折り畳みが生じ、医療用廃棄物から漏れ出た液ダレを確実に防止することが出来る。
【００１９】
更に、本考案の実施形態では、引き手部１９と、持ち手部２０と、を備える。引き手部１９は、裏面シート１１の上側の端部１１ａに接続され、第一の指掛け穴１９ａを有し、持ち手部２０は、裏面シート１１の中央で、且つ、下方付近１１ｂに接続され、第二の指掛け穴２０ａを有する。
【００２０】
又、本考案の実施形態では、第二のファスナー１８の位置により、引き手部１９の第一の指掛け穴１９ａは、第二のファスナー１８が通るように構成される。
【００２１】
これにより、二回の折り畳みにより、引き手部１９は内部に折り畳まれ、収納されるが、患者が、引き手部１９の第一の指掛け穴１９ａに指を掛けて引き手部１９を引っ張ることで、二回の折り畳みを簡単に展開し、袋１を広げることが出来る。又、二回の折り畳みの後では、持ち手部２０が上方に位置するため、患者が持ち手部２０の第二の指掛け穴２０ａに指を掛ければ、袋１を簡単に携帯することが出来る。
【００２２】
又、本考案の実施形態では、第三の折り目線２１を備える。第三の折り目線２１は、持ち手部２０の接続部（裏面シート１１の上側の端部１１ａ）の上方付近で、持ち手部２０の左右方向に沿って線状に設けられる。
【００２３】
これにより、二回の折り畳みにより、持ち手部２０が上方に位置しても、第三の折り目線２１により、持ち手部２０を折り畳んで、袋１全体を小型化することが出来る。又、袋１を携帯する場合、患者が、第三の折り目線２１を介して持ち手部２０を上方に持ち上げれば、持ち手部２０が上方に位置して、上述のように、患者が持ち手部２０の第二の指掛け穴２０ａに指を掛けて袋１を携帯することが出来る。
【００２４】
さて、次に、本考案の実施形態の使用方法について説明すると、先ず、患者が、図６に示すように、袋１の表面シート１０を広げると、第一の立体形成線１５と第二の立体形成線１６とにより、挿入穴１４が大きく開かれ、固定される。そこで、患者は、図７に示すように、挿入穴１４に医療用廃棄物Ｗの先端を押し当てると、第二の立体形成線１６により、医療用廃棄物Ｗが袋１の内部に案内され、図８に示すように、医療用廃棄物Ｗを袋１の内部に簡単に入れることが出来る。
【００２５】
患者は、入れた医療用廃棄物Ｗを袋１の外部から押したりすると、図９に示すように、医療用廃棄物Ｗは袋１の下方に容易に滑り落ちる。この際、本考案の実施形態では、医療用廃棄物Ｗの横入れ方式となる。
【００２６】
この状態で、患者が、第二の折り目線１３を折り目にして袋１の上側の端部１ａを内側に折り曲げると、図１０に示すように、引き手部１９の第一の指掛け穴１９ａを通して、裏面シート１１の第二のファスナー１８が表面に現れ、表面シート１０の第一のファスナー１７と対向する。
【００２７】
そこで、患者が、第一の折り目線１２を折り目にして第二の折り目線１３を内側に折り曲げ、第二のファスナー１８を第一のファスナー１７に付着させると、袋１の上方では二回の折り畳みが生じ、図１１に示すように、第三の折り目線２１で折り曲げられた持ち手部２０が上方に現れる。
【００２８】
患者は、第三の折り目線２１から持ち手部２０を上方に持ち上げれば、図１２に示すように、持ち手部２０の第二の指掛け穴２０ａが表面に現れる。これにより、持ち手部２０の第二の指掛け穴２０ａに指を掛けることが可能となり、袋１を携帯することが出来る。患者は、使用済の医療用廃棄物を安全に医療機関に返すことが出来る。
【００２９】
ここで、患者が、袋１の表面シート１０を広げる場合には、二回の折り畳みにより、引き手部１９は内部に折り畳まれるものの、図１２に示すように、第一の折り目線１２から引き手部１９の先端が少しはみ出る。
【００３０】
そこで、患者は、引き手部１９の先端をつまんで引っ張ることで、図１０に示すように、引き手部１９の第一の指掛け穴１９ａが表面に現れることから、患者は、更に、引き手部１９の第一の指掛け穴１９ａに指を掛けて引っ張ることで、二回の折り畳みを簡単に開放し、袋１の表面シート１０を広げることが出来る。このような作業は、手指が不自由な患者であっても可能である。
【００３１】
尚、本考案の実施形態では、表面シート１０と裏面シート１１との四角形状を正方形状に近い形状としたが、これに限定する必要は無く、例えば、長方形状であっても良い。
【００３２】
又、第二の立体形成線１６は、図１に示すように、第二の折り目線１３の左右方向の中心付近１３ａと挿入穴１４との間を６分割し、挿入穴１４の上下端部１４ａ、１４ｂのそれぞれから、挿入穴１４から６分の１の第二の折り目線１３上まで線状に設けることで、第一の立体形成線１５の傾斜よりも急な傾斜になるようにしたが、これに限定する必要は無く、例えば、挿入穴１４の上下端部１４ａ、１４ｂのそれぞれから、挿入穴１４から６分の２又は６分の３の第二の折り目線１３上まで線状に設けても良い。
【００３３】
又、本考案の実施形態では、第一の立体形成線１５と第二の立体形成線１６との２種類を設けたが、これに限定する必要は無く、例えば、第一の立体形成線１５と第二の立体形成線１６との間に、同様のくの字状の第三の立体形成線を追加しても構わない。追加数に特に限定は無い。
【００３４】
又、第一のファスナー１７と第二のファスナー１８とは、面ファスナーを想定するが、これに限定する必要は無い。第一のファスナー１７と第二のファスナー１８との形状は、円形としたが、これに限定する必要は無い。又、第一のファスナー１７と第二のファスナー１８とは１つを想定したが、これに限定する必要は無く、２つでも３つでも良い。
【００３５】
又、引き手部１９は、上下方向に対して袋１の上側の端部１ａから第一の折り目線１３までの長さに対応するように構成したが、これに限定する必要は無く、例えば、袋１の上側の端部１ａから第一の折り目線１３を超える長さとしても良い。又、引き手部１９の形状は、碗状としたが、これに限定する必要は無い。又、引き手部１９の第一の指掛け穴１９ａは、上下方向に対して長尺の楕円状としたが、これに限定する必要は無い。
【００３６】
又、持ち手部２０は、上下方向に対して裏面シート１１の下方付近１１ｂから、袋１の上側の端部１ａと第二の折り目線１４との中間までの長さに対応するように構成したが、これに限定する必要は無く、例えば、裏面シート１１の下方付近１１ｂから、袋１の上側の端部１ａまでの長さとしても良い。
【００３７】
又、持ち手部２０は、左右方向に対して引き手部１９の長さよりも長い構成したが、これに限定する必要は無い。又、持ち手部２０の第二の指掛け穴２０ａは、左右方向に対して長尺の楕円状としたが、これに限定する必要は無い。
【００３８】
又、医療用廃棄物収納袋１の耐久性を向上させるために、各部に補強溶着部を設けても良い。補強溶着部の形態に特に限定は無く、例えば、第一の立体形成線１５と第二の立体形成線１６との周辺部、引き手部１９の接続部、持ち手部２０の接続部等を挙げることが出来る。
【００３９】
又、表面シート１０の外面と裏面シート１１の外面には、例えば、医療用廃棄物に関する説明文や図面を適宜設けても構わない。
【００４０】
尚、本考案の実施形態では、医療用廃棄物収納袋１の構成に、更に、他の機能を追加しても構わない。
【産業上の利用可能性】
【００４１】
以上のように、本考案は、オートインジェクタ、ペン型注射器といった医療用廃棄物を収容する医療用廃棄物収納袋として有用であり、手指が不自由な患者であっても医療用廃棄物を袋に容易に横入れすることが出来るとともに、入れた医療用廃棄物の外部への飛び出しを確実に防止することが可能な医療用廃棄物収納袋として有効である。
【符号の説明】
【００４２】
１    医療用廃棄物収納袋
１０  表面シート
１１  裏面シート
１２  第一の折り目線
１３  第二の折り目線
１４  挿入穴
１５  第一の立体形成線
１６  第二の立体形成線
【図１】
0003212746.tif 000003
【図２】
0003212746.tif 000004
【図３】
0003212746.tif 000005
【図４】
0003212746.tif 000006
【図５】
0003212746.tif 000007
【図６】
0003212746.tif 000008
【図７】
0003212746.tif 000009
【図８】
0003212746.tif 000010
【図９】
0003212746.tif 000011
【図１０】
0003212746.tif 000012
【図１１】
0003212746.tif 000013
【図１２】
0003212746.tif 000014